(57)【特許請求の範囲】
【請求項１】
管理サーバを介してサイトへ接続するサイト接続サービス機能を備えた携帯端末において、
ユーザの入力を受け付ける操作部と、
前記管理サーバと通信する無線部と、
前記管理サーバとの通信を終了する自動終了モードが、前記サイトのアドレス情報と対応付けられて設定されるメモリと、
前記サイトへの接続中に前記操作部が前記サイトへの接続の終了を受け付けた場合、前記メモリに前記サイトのアドレス情報に対応付けられて前記自動終了モードが設定されているか否かを確認し、設定されている場合は前記サイトへの接続と共に前記管理サーバとの通信を終了し、設定されていない場合は前記管理サーバとの通信を継続した状態で前記サイトへの接続を終了する制御部と、
を備える携帯端末。
【請求項２】
前記操作部は、前記サイトへの接続中に、前記自動終了モードの設定を受け付ける、請求項１記載の携帯端末。
【請求項３】
管理サーバを介してサイトへ接続するサイト接続サービス機能を備えた携帯端末を用いた自動終了方法において、
前記携帯端末は、ユーザの入力を受け付ける操作部と、前記管理サーバとの通信を終了する自動終了モードが前記サイトのアドレス情報と対応付けられて設定されるメモリと、を備え、
前記サイトへの接続中に前記サイトへの接続の終了を受け付けた場合、前記メモリに前記サイトのアドレス情報に対応付けられて前記自動終了モードが設定されているか否かを確認し、設定されている場合は前記サイトへの接続と共に前記管理サーバとの通信を終了し、設定されていない場合は前記管理サーバとの通信を継続した状態で前記サイトへの接続を終了する、
自動終了方法。
【請求項４】
コンピュータに、管理サーバを介してサイトへ接続するサイト接続サービス利用手順と、ユーザの入力を受け付ける操作手順と、前記サイトへの接続中に前記サイトへの接続の終了を受け付けた場合、前記サイトのアドレス情報に対応付けられて、前記管理サーバとの通信を終了する自動終了モードがメモリに設定されているか否かを確認し、設定されている場合は前記サイトへの接続と共に前記管理サーバとの通信を終了し、設定されていない場合は前記管理サーバとの通信を継続した状態で前記サイトへの接続を終了する制御手順と、を実行させるための自動終了プログラム。
【発明の詳細な説明】
【技術分野】
【０００１】
本発明は、携帯端末、自動終了方法、並びに自動終了プログラムに関し、特に、インターネット接続サービスおよび／またはメールサービスを行う管理サーバと無線網を介して接続する携帯端末、自動終了方法、並びに自動終了プログラムに関する。
【背景技術】
【０００２】
従来、ｉモード（ＮＴＴドコモの登録商標）サービス等のサイト接続サービスを利用可能なＰＤＣ（Ｐｅｒｓｏｎａｌ  Ｄｉｇｉｔａｌ  Ｃｅｌｌｕｌａｒ）方式の携帯端末は、例えば、下記の非特許文献１に開示されているように、ｉモード（登録商標）サーバを介してインターネット接続またはメールの送信を行い、終了するとｉモード（登録商標）サーバとの接続を終了させないで待ち受け画面に戻る。なお、待ち受け画面に戻った状態で、ｉモード（登録商標）サーバとの接続の切断を明示的に行わなければネットワークから指定された時間（５分間）接続が保持される。
【０００３】
また、電話回線を介してインターネットに接続し終了する方法として、例えば、特開２００２−２１５４８９号公報に開示されている。すなわち、特開２００２−２１５４８９号公報によれば、インターネットの接続等を行うために必要な事項およびプログラムの一部または全てをメディア（ＣＤ等）に記録しておき、そのメディアをハード（パソコン等）に挿入することで、自動的にインターネットに接続し、更に、画面に表示された終了ボタンをクリックすることにより電話回線も同時に切断され、初期画面に戻ることが記載されている。
【０００４】
【特許文献１】特開２００２−２１５４８９号公報（特許請求の範囲）
【０００５】
【非特許文献１】ムーバＮ２１１ｉ取扱説明書「機能解説編」（販売元：ＮＴＴＤｏＣｏＭｏグループ、製造元：日本電気株式会社、‘０１．１１（１版）、ｐ１９３−ｐ１９８）
【発明の開示】
【発明が解決しようとする課題】
【０００６】
しかしながら、上記の非特許文献１によれば、ｉモード（登録商標）サーバを介してインターネット接続またはメールの送信を行い、終了すると、ｉモード（登録商標）サーバとの接続を終了させないで待ち受け画面に戻るため、多くのユーザがメールを送信し終えてアプリケーションを終了させてもｉモード（登録商標）サーバとの接続も終わらせようと急いで終了ボタンを連打して、待ち受け画面に戻しており、操作上煩わしという問題点がある。
【０００７】
また、上記の特開２００２−２１５４８９号公報によれば、終了ボタンをクリックすることで回線を切断する。しかし、上記の非特許文献１による携帯電話機では、終了ボタンを押すことで現在接続しているサイトを終了させ、引き続き別のサイトに直ぐ接続できるようになっており、このまま終了ボタンをクリックすることで回線を切断するようにすると、別のサイトに接続するのに最初から処理を行うことになり、時間がかかるという問題点がある。
【０００８】
本発明の目的は、上記問題点を鑑み、必要な時にだけ、アプリケーション終了と同時に即座に自動でｉモード（登録商標）サーバ等の管理サーバとの通信の終了を行うことで、操作上の煩わしさから開放されることにある。
【０００９】
また、本発明の別の目的は、上記問題点を鑑み、携帯端末の画面上から、所定のアプリケーション終了と同時に自動で管理サーバとの通信の終了を行うか、所定のアプリケーションを終了しても管理サーバとの通信の終了を行わないで継続するかの選択ができるようにすることにある。
【課題を解決するための手段】
【００１０】
上記課題を解決するために、本発明の携帯端末は、管理サーバを介してサイトへ接続するサイト接続サービス機能を備えた携帯端末であって、ユーザの入力を受け付ける操作部と、管理サーバと通信する無線部と、管理サーバとの通信を終了する自動終了モードが、サイトのアドレス情報と対応付けられて設定されるメモリと、サイトへの接続中に操作部がサイトへの接続の終了を受け付けた場合、メモリにサイトのアドレス情報に対応付けられて自動終了モードが設定されているか否かを確認し、設定されている場合はサイトへの接続と共に管理サーバとの通信を終了し、設定されていない場合は管理サーバとの通信を継続した状態でサイトへの接続を終了する制御部と、を備える。
【００１１】
また、本発明の自動終了方法は、管理サーバを介してサイトへ接続するサイト接続サービス機能を備えた携帯端末を用いた自動終了方法であって、携帯端末は、ユーザの入力を受け付ける操作部と、管理サーバとの通信を終了する自動終了モードがサイトのアドレス情報と対応付けられて設定されるメモリと、を備え、サイトへの接続中にサイトへの接続の終了を受け付けた場合、メモリにサイトのアドレス情報に対応付けられて自動終了モードが設定されているか否かを確認し、設定されている場合はサイトへの接続と共に管理サーバとの通信を終了し、設定されていない場合は管理サーバとの通信を継続した状態でサイトへの接続を終了する、ことを特徴とする。
【００１２】
また、本発明の自動終了プログラムは、コンピュータに、管理サーバを介してサイトへ接続するサイト接続サービス利用手順と、ユーザの入力を受け付ける操作手順と、サイトへの接続中にサイトへの接続の終了を受け付けた場合、サイトのアドレス情報に対応付けられて、管理サーバとの通信を終了する自動終了モードがメモリに設定されているか否かを確認し、設定されている場合はサイトへの接続と共に管理サーバとの通信を終了し、設定されていない場合は管理サーバとの通信を継続した状態でサイトへの接続を終了する制御手順と、を実行させる。
【００１６】
【００１７】
【００１８】
【００１９】
【００２０】
【００２１】
【００２２】
【００２３】
【発明の効果】
【００２４】
本発明は、インターネット接続中またはメール送信後に終了ボタンが押下された場合に管理サーバとの通信の終了の有無の判別を行えるように終了判別の有無を設定させるようにしているため、ユーザがサイト閲覧、メール送受信といったアプリケーションの終了時に、管理サーバとの通信の終了判別が有効になっていれば管理サーバとの通信を終了することができるようになり、管理サーバとの接続を終了させるために終了ボタンを連打する必要がなくなるという効果があり、更にネットワークという面で見ても管理サーバとの接続を早く終了させることで無線リソースの有益な開放につながるという効果がある。
【００２５】
また、本発明は、特定のインターネット接続中に終了ボタンが押下された場合に管理サーバとの通信の終了の有無の判別を行えるようにサイト別に終了サービスモードを設け、管理サーバとの通信の終了判別の有無を設定させるようにしているため、ユーザが終了サービスモードの「ＯＮ」の設定された特定のサイトのインターネット接続中に、管理サーバとの接続を終了することができるようになり、管理サーバとの接続を終了させるために終了ボタンを連打する必要がなくなるという効果があり、更にネットワークという面で見ても管理サーバとの接続を早く終了させることで無線リソースの有益な開放につながるという効果がある。
【発明を実施するための最良の形態】
【００２６】
次に、本発明の実施の形態について、図面を参照して説明する。
【００２７】
図１を参照すると、本発明の実施の形態である携帯電話機、ＰＨＳ等の携帯端末１と、複数の携帯端末１のユーザと契約しその契約した携帯端末１の各種通信サービスを行う無線事業者が管理している管理サーバ３と、携帯端末１と管理サーバ３とを接続する無線網２と、管理サーバ３と接続するインターネット４とから構成される。この場合の管理サーバ３は、コンピュータ、サーバ等のプロセッサ（ＣＰＵ）によりプログラム制御で動作する情報処理装置であり、図示していないサイトに接続してインターネット接続サービスおよび／またはメールサービスを行うが、複数のサーバを用いてそれぞれのサービスを行っても良い。
【００２８】
携帯端末１は、図示していないプロセッサ（ＣＰＵ）によりプログラム制御で動作する制御部１１と、無線により無線網２とのデータのやり取りを行う無線部１２と、操作部１３と、表示部１４と、プログラム格納メモリ１５と、画面情報データベース１６と、ブックマーク一覧であるアドレス情報データベース１７と、終了状態モードエリア１８とから構成される。
【００２９】
図１の無線部１２は、Ｗｅｂサイトアクセス時、メール送受信時において、無線網２からの受信時には無線信号からデジタル信号への変換を行い、無線網２への送信時にはデジタル信号から無線信号への変換を行う。
【００３０】
図１の操作部１３は、テンキー、操作キー等のキーから構成され、これらのキー操作により文字、数字、決定等を入力する。
【００３１】
ＬＣＤである表示部１４は、制御部１１の制御の基で、メニュー、決定内容、操作部１３からの入力内容等を表示する。
【００３２】
図１の制御部１１は、プログラム格納メモリ１５に格納されているプログラムを実行することにより、無線網２とのデータのやり取り、操作部１３からの入力処理、表示部１４への表示、プログラム格納メモリ１５とのデータの書き込みまたは読み出しを行う。
【００３３】
図１のプログラム格納メモリ１５と画面情報データベース１６とアドレス情報データベース１７と終了状態モードエリア１８とは、図示していない不揮発性メモリ（例えば、フラッシュメモリ）内に割り当てられている。なお、本実施の形態例では、同一の不揮発性メモリ内としたが、それぞれ別々の不揮発性メモリ内のエリアに割り付けても良いし、電池でバックアップした揮発性のメモリ（例えば、ＲＡＭ）内に割り付けても良い。
【００３４】
図１のプログラム格納メモリ１５には、本発明の実施の形態におけるインターネットモード終了プログラムが格納されている。この場合のインターネットモードとは、無線網２を介して管理サーバ３と通信している状態を意味する。すなわち、サイト接続サービスを利用可能な状態になっていることを意味する。一方、サイト接続サービスの利用状態とは、表示部１４を利用して、管理サーバ３を介して、サイト接続（インターネット接続）、メールなどを行っている状態である。
【００３５】
サイトとは、本実施の形態では、情報提供者が提供するホームページを各サーバに搭載している場所のことを言う。従って、携帯端末１の制御部１１は、管理サーバ３から提供されるメニューリストから選択することでサイトにアクセスする方法と、表示部１４の画面上から直接ＵＲＬで指定されたサイトにアクセスする方法とがある。また、各サイトのホームページは、管理サーバ３の管理下にあり図示していないＬＡＮまたは専用回線に接続されたサーバ（プロセッサによりプログラム制御で動作するサーバ、パソコン、ワークステーション等の情報処理装置）に割り当てられている場合もあるし、インターネット４を介した図示していないサーバに割り当てられている場合もある。これら接続先を総称してインターネット接続先のサイトと呼ぶ。
【００３６】
図１の画面情報データベース１６には、制御部１１が表示部１４に表示するメニュー情報等が格納されている。この場合のメニュー情報には、インターネットモード設定を選択するメニュー画面情報と、図８の（ａ）に示すようなインターネットモード設定画面情報と、インターネットモード設定画面情報の中から「インターネットモード即座自動終了設定」を選択した場合に図８の（ｂ）に示すように表示部１４に表示させるインターネットモード即座自動終了設定画面情報と、図９の（ａ）に示すようなメール送信終了画面情報と、図９の（ｂ）に示すようなメール選択画面情報と、図１１の（ｂ）に示すような自動終了サイト・ページ登録画面情報と、図１２の３１に示すような画面情報とを含む。
【００３７】
図１のアドレス情報データベース１７には、例えば、図２の構成例に示すように、フォルダ名毎にＵＲＬ（Ｕｎｉｆｏｒｍ  Ｒｅｓｏｕｒｃｅ  Ｌｏｃａｔｏｒの略、ページアドレス）と、ＵＲＬの名称と、終了サービスモードとの各エリア（エリアのことを欄とも呼ぶ）が割り当てられている。
【００３８】
図１の終了状態モードエリア１８には、例えば、図３の構成例に示すように、インターネットへアクセスするアプリケーションの終了時にインターネットモードを自動的に終了する場合に「ＯＮ」に設定されるＡＰ自動終了モードと、サイトアクセス終了時にインターネットモードを自動的に終了する場合に「ＯＮ」に設定されるサイト自動終了モードとの各エリアが割り当てられている。
【００３９】
次に、図１〜図５を参照して、本発明の実施の形態の動作について説明する。
【００４０】
ユーザが操作部１３からの操作により、制御部１１は、設定画面情報を画面情報データベース１６から読み出し、図８（ａ）に示す設定画面を表示部１４に表示する。ユーザが設定画面から「即座自動終了設定」を選択すると、制御部１１は、画面情報データベース１６から即座自動終了設定画面情報を読み出し、図８（ｂ）に示す即座自動終了設定画面を表示部１４に表示する。（図４のステップＳ１０１）。
【００４１】
ユーザが即座自動終了設定画面から「即座自動終了する」を選択すると、制御部１１は、終了状態モードエリア１８内のＡＰ自動終了モードに「ＯＮ」を設定する。（ステップＳ１０２，Ｓ１０３）。
【００４２】
なお、ユーザが「即座自動終了しない」を選択すると、制御部１１は、終了状態モードエリア１８内のＡＰ自動終了モードに「ＯＦＦ」を設定する（この場合クリアでも良い）。（ステップＳ１０２，Ｓ１０４）。
【００４３】
このようにして、ＡＰ自動終了モードに設定した後、メールを送信するため、ユーザが操作部１３からの操作（メール作成からメール送信するまでの一連の操作）によりメールを送信すると、制御部１１は、無線部１２および無線網２を介して管理サーバ３に接続してメールを送信した後、画面情報データベース１６からメール送信終了画面情報を読み出し、表示部１４に表示する。（図６のステップＳ３０１）。
【００４４】
ユーザがメール送信終了画面上のＯＫボタンを押すと、制御部１１は、画面情報データベース１６からメール選択画面情報を読み出し、表示部１４に表示する。（ステップＳ３０２，Ｓ３０３）。
【００４５】
ユーザが終了ボタン（この場合は、操作部１３の電源ボタン）を押すと、制御部１１は、終了状態モードエリア１８内のＡＰ自動終了モードが「ＯＮ」を確認する。（ステップＳ３０４〜Ｓ３０６）。
【００４６】
ステップＳ３０６において、確認した結果、「ＯＮ」であれば、制御部１１は、メールのアプリケーションを終了すると共に、呼設定解放要求（ＤＩＳＣＣＯＮＮＥＣＴ）を無線部１２および無線網２を介して接続先の管理サーバ３に行うことで、インターネットモードを終了（無線網２を介した管理サーバ３との通信を切断）する。更に、制御部１１は、図１０（ｂ）の待ち受け画面を表示部１４に表示して終了する。（ステップＳ３０７，Ｓ３０８）。
【００４７】
ステップＳ３０６において、確認した結果、「ＯＦＦ」であれば、制御部１１は、インターネットモードを終了しないで（管理サーバ３と通信したまま）、図１０（ａ）の待ち受け画面を表示部１４に表示して終了する。（ステップＳ３０８）。
【００４８】
また、ＡＰ自動終了モードに設定した後、ユーザの操作部１３の操作により管理サーバ３に接続し、メニュー画面からインターネット４にアクセスしたとすると、制御部１１は、無線網２を介して管理サーバ３に接続し、メニュー画面で指定されたサイト（インターネットの接続先）に接続する。（図７のステップＳ４０４）。
【００４９】
やがて、ユーザが終了ボタン（この場合は、操作部１３の電源ボタン）を押すと、制御部１１は、終了状態モードエリア１８内のＡＰ自動終了モードが「ＯＮ」またはサイト自動終了モードが「ＯＮ」かどうかを確認する。（ステップＳ４０５〜Ｓ４０７）。
【００５０】
ステップＳ４０７において、確認した結果、ＡＰ自動終了モードが「ＯＮ」であるので、制御部１１は、インターネット接続のアプリケーションを終了すると共に、呼設定解放要求（ＤＩＳＣＣＯＮＮＥＣＴ）を無線部１２および無線網２を介して接続先の管理サーバ３に行うことで、インターネットモードを終了（管理管理サーバ３との通信を切断）し、図１０（ｂ）の待ち受け画面を表示部１４に表示して終了する。（ステップＳ４０８，Ｓ４０９）。
【００５１】
また、ＡＰ自動終了モードに設定した後、ユーザの操作部１３の操作によりＵＲＬを直接入力し、実行すると、制御部１１は、無線部１２および無線網２を介して管理サーバ３に接続し、メニュー画面で指定されたサイト（インターネット４の接続先）に接続する。（図７のステップＳ４０５）。
【００５２】
以降の操作については、上記のステップＳ４０５からＳ４０９と同じなので、説明を省略する。
【００５３】
次に、ユーザの中には、毎回同じサイトのインターネットページしか見ない人もいる。そういったユーザのために、ユーザが希望するサイト・ページの表示部１４への表示が終了すると、インターネットモードを自動的に終了するサービスについて説明する。
【００５４】
今、ユーザが操作部１３の操作（ＵＲＬを直接入力するか、メニュー画面から所望のサイトを選択するかの方法）により、制御部１１が、管理サーバ３を介して、ユーザが指定したサイトに接続してサイトの情報を読み出し、下部にメニューを付加して図１１に示すような画面を表示部１４に表示させた状態である。（図７のステップＳ４０４）。
【００５５】
このような状態で、ユーザが画面上の下部のメニューボタンまたは操作部１３上のメニューボタンを押下（選択）すると、制御部１１は、画面情報データベース１６から自動終了サイト・ページ登録画面情報を読み出し、図１１（ｂ）で示すような自動終了サイト・ページ登録画面を表示部１４に表示し、自動終了サービスを受ける自動終了サイトへの登録の有無の設定を促す。（図７のステップＳ４１０）。
【００５６】
ユーザが表示された自動終了サイト・ページ登録画面から「ＹＥＳ」を選択すると、制御部１１は、アドレス情報データベース１７内のフォルダ名欄には規定値であるフォルダ名を、ＵＲＬ欄には現在表示中のサイトのＵＲＬを、名称欄にはそのサイトの名称を、終了サービスモード欄には「ＯＮ」を、それぞれ設定する。この場合、ブックマークに現在表示中のサイトが自動終了サービスを受けることで登録されたことになる。更に、制御部１１は、終了状態モードエリア１８内のサイト自動終了モード欄を「ＯＮ」に設定し、元の画面（ステップＳ４０４）に戻る。（ステップＳ４１１〜Ｓ４１４）。
【００５７】
なお、ステップＳ４１２において、ユーザが表示された自動終了サイト・ページ登録画面から「ＮＯ」を選択すると、制御部１１は、該当するサイトがアドレス情報データベース１７内に該当するＵＲＬが登録されているか検索し、登録されていれば、該当するＵＲＬの終了サービスモード欄に「ＯＦＦ」を設定し、更に、終了状態モードエリア１８内のサイト自動終了モード欄を「ＯＦＦ」に設定して元の画面（ステップＳ４０４）に戻る。（ステップＳ４１５，Ｓ４１６）。
【００５８】
ステップＳ４１３により終了サービスモード「ＯＮ」に設定された特定のサイトのＵＲＬに制御部１１が接続している状態（例えば、ステップＳ４０４のインターネット接続中で図１１（ａ）の状態）で、ユーザが終了ボタン（この場合電源ボタン）を押すと、制御部１１は、終了状態モードエリア１８内のサイト自動終了モードが「ＯＮ」に設定されているため、インターネット接続のアプリケーションを終了すると共に、呼設定解放要求（ＤＩＳＣＣＯＮＮＥＣＴ）を無線部１２および無線網２を介して接続先の管理サーバ３に行うことで、インターネットモードを終了（管理サーバ３との通信を切断）して、図１１の画面上に図１２に示すように画面３１を表示する。ユーザが「ＯＫ」ボタンを押すと、制御部１１は、図１０（ｂ）に示すような待ち受け画面を表示して終了する。（ステップＳ４０５〜Ｓ４０９）。
【００５９】
また、アドレス情報データベース１７に登録されているサイトの終了サービスモードの設定方法として以下のようにして設定することもできる。
【００６０】
ユーザが図８（ａ）に示すような設定画面を表示部１４に表示させた後、「サイト自動終了サービス設定」を選択すると、制御部１１は、アドレス情報データベース１７から名称（またはＵＲＬ）および終了サービスモード欄を読み出し、読み出したアドレス一覧をブックマーク一覧として表示部１４に表示させ、終了サービスモードの変更をさせたいサイトを選択させる。ユーザがアドレス一覧（ブックマーク一覧）からある名称（ＵＲＬ）を選択すると、制御部１１は、自動終了サービスを受ける自動終了サイトへの登録の有無（「ＹＥＳ」か「ＮＯ」）の設定を促す画面を表示部１４に表示する。（ステップＳ２０１，Ｓ２０２）。
【００６１】
ユーザが「ＹＥＳ」を選択すると、制御部１１は、アドレス情報データベース１７の該当するＵＲＬの終了サービスモードに「ＯＮ」を設定する。すなわち、ブックマークに登録された該当するサイトが自動終了サービスを受けることに設定されたことになる。なお、ユーザが「ＮＯ」を選択すると、制御部１１は、アドレス情報データベース１７の該当するＵＲＬの終了サービスモードに「ＯＦＦ」を設定する。（ステップＳ２０４〜Ｓ２０６）。
【００６２】
このようにして、ユーザが操作部１３からの操作により、特定のサイトのＵＲＬが終了サービスモード「ＯＮ」に設定されたサイトに対して、ユーザが操作部１３を利用して、ブックマークから終了サービスモード「ＯＮ」に設定されたサイトを選択すると、制御部１１は、選択されたサイトを基にアドレス情報データベース１７の終了サービスモードを検索する。この場合、終了サービスモードが「ＯＮ」であるため、終了状態モードエリア１８内のサイト自動終了モードを「ＯＮ」に設定し、無線網２，管理サーバ３，インターネット４を介して、選択されたサイトに接続する。（図７のステップＳ４０１〜Ｓ４０４）。
【００６３】
やがて、ユーザが終了ボタン（この場合電源ボタン）を押すと、制御部１１は、インターネット接続のアプリケーションを終了すると共に、終了状態モードエリア１８内のサイト自動終了モードが「ＯＮ」に設定されているため、呼設定解放要求（ＤＩＳＣＣＯＮＮＥＣＴ）を無線部１２および無線網２を介して接続先の管理サーバ３に行うことで、インターネットモードを終了（管理管理サーバ３との通信を切断）して、図１１の画面上に図１２に示すように画面３１を表示する。ユーザが「ＯＫ」ボタンを押すと、制御部１１は、図１０（ｂ）に示すような待ち受け画面を表示して終了する。（ステップＳ４０５〜Ｓ４０９）。
【００６４】
なお、上記の図７のステップＳ４０７において、終了状態モードエリア１８内のＡＰ自動終了モードが「ＯＦＦ」でかつサイト自動終了モードが「ＯＦＦ」であれば、制御部１１は、管理サーバ３に接続したまま（この場合、インターネット接続のアプリケーションは終了）、ステップＳ４０５での終了ボタンが操作部１３の電源ボタンであれば、図１０（ａ）の待ち受け画面を表示して終了する。制御部１１は、ステップＳ４０５での終了ボタンが画面上の終了ボタンであれば、終了したサイトを読み出した画面に戻る（この場合、メニュー画面を読み出さないで直接サイトにアクセスした場合は図１０（ａ）の待ち受け画面となる）。（ステップＳ４０９，Ｓ４１７）。
【００６５】
以上説明したように、制御部１１は、終了状態モードエリア１８内のＡＰ自動終了モード欄に終了判別の有無を設定させるようにし、インターネット接続中またはメール送信後に終了ボタンが押下された場合に終了状態モードエリア１８内のＡＰ自動終了モードが「ＯＮ」であれば、管理サーバ３との接続を終了（切断）するようにしているため、終了ボタンの連打を行う必要がなくなり、また管理サーバ３との接続を早く終了させることで無線リソースの有益な開放につながることができる。更に、制御部１１は、終了状態モードエリア１８内のＡＰ自動終了モードの「ＯＮ」「ＯＦＦ」ができるので、必要に応じて、ＡＰ自動終了モードを「ＯＦＦ」に設定しておけば、管理サーバ３との接続を継続することもできる。
【００６６】
また、制御部１１は、アドレス情報データベース１７内にサイト別に終了サービスモード欄に終了サービスの有無を設定するようにし、終了サービスが有効に設定されているサイトにアクセスすると、終了状態モードエリア１８内のサイト自動終了モード欄を「ＯＮ」に設定することで終了判別を有効にし、サイトへの接続中に終了ボタンが押下された場合にサイト自動終了モード欄が「ＯＮ」であれば、管理サーバ３との通信を終了（切断）するようにしているため、終了ボタンの連打を行う必要がなくなり、また管理サーバ３との通信を早く終了させることで無線リソースの有益な開放につながることができる。更に、制御部１１はアドレス情報データベース１７内でサイト別に終了サービスモードの「ＯＮ」「ＯＦＦ」ができるので、必要に応じて、終了サービスモード「ＯＦＦ」に設定しておけば、制御部１１は、終了状態モードエリア１８内のサイト自動終了モードを「ＯＦＦ」に設定するので、管理サーバ３との通信を継続することもできる。
【００６７】
また、制御部１１は、サイトの読み出しの画面でメニューボタンが押下されると、接続中のサイトの終了サービスの有無の設定を促す画面を表示し、その表示された画面から終了サービスを有効にすると、終了状態モードエリア１８内のサイト自動終了モード欄を「ＯＮ」に設定することで終了判別を有効にし、サイトへの接続中に終了ボタンが押下された場合にサイト自動終了モード欄が「ＯＮ」であれば、管理サーバ３との通信を終了（切断）するようにしているため、終了ボタンの連打を行う必要がなくなる。更に、管理サーバ３との通信を早く終了させることで無線リソースの有益な開放につながることができる。更に、メニューボタンを押すことで、制御部１１は終了サービスモードの「ＯＮ」「ＯＦＦ」ができるので、必要に応じて、メニューボタンを押下することで終了サービスモード「ＯＦＦ」に設定すれば、制御部１１は、終了状態モードエリア１８内のサイト自動終了モードを「ＯＦＦ」に設定するので、管理サーバ３との通信を継続することもできる。
【図面の簡単な説明】
【００６８】
【図１】本発明の実施の形態の構成の概略を示すブロック図である。
【図２】図１のアドレス情報データベース内の構成の概略を示す構成概略図である。
【図３】図１の終了状態モードエリア内の構成の概略を示す構成概略図である。
【図４】図１の操作部による画面操作からＡＰ自動終了モードの設定を行う場合の図１の制御部の動作を示すフローチャートである。
【図５】図１の操作部による画面操作から終了サービスモードの設定を行う場合の図１の制御部の動作を示すフローチャートである。
【図６】メール送信要求があり、その送信終了後に終了ボタンの押下があった場合の図１の制御部の動作を示すフローチャートである。
【図７】サイト接続要求時、およびサイト接続中のメニュー押下時、終了ボタン押下時の図１の制御部の動作を示すフローチャートである。
【図８】図１の表示部に表示される設定画面および即座自動終了設定画面の表示例を示す構成図である。
【図９】メール送信終了時において、図１の表示部に表示される表示画面の一例を示す構成図である。
【図１０】図１の表示部に表示される待ち受け画面の表示例を示す構成図である。
【図１１】図１の表示部に表示されたサイトからの読み出し画面でのメニューボタンおよびそのメニューボタン押下時の表示例を示す構成図である。
【図１２】図１１（ｂ）の画面で「ＹＥＳ」を押下された場合の表示部に表示される表示例を示す構成図である。
【符号の説明】
【００６９】
１    携帯端末
２    無線網
３    管理サーバ
４    インターネット
１１    制御部
１２    無線部
１３    操作部
１４    表示部
１５    プログラム格納メモリ
１６    画面情報データベース
１７    アドレス情報データベース
１８    終了状態モードエリア
【図１】
0004411029.tif 000002
【図２】
0004411029.tif 000003
【図３】
0004411029.tif 000004
【図４】
0004411029.tif 000005
【図５】
0004411029.tif 000006
【図６】
0004411029.tif 000007
【図７】
0004411029.tif 000008
【図８】
0004411029.tif 000009
【図９】
0004411029.tif 000010
【図１０】
0004411029.tif 000011
【図１１】
0004411029.tif 000012
【図１２】
0004411029.tif 000013